【手続補正書】
【提出日】令和3年4月12日(2021.4.12)
【手続補正１】
【補正対象書類名】特許請求の範囲
【補正対象項目名】全文
【補正方法】変更
【補正の内容】
【特許請求の範囲】
【請求項１】
宇宙船作業用デバイスであって、
ホスト宇宙船から、ターゲット宇宙船に隣接するロケーションのところに配備されるように構成されるボディと；
前記ボディに結合される推進燃料タンクであって、少なくとも１つの推進燃料を保管するように、および前記ターゲット宇宙船の推進デバイスの一部分に流体連通されるように、構成される、推進燃料タンクと；
前記宇宙船の燃料システムの一部分に結合するための結合機構とを備え、前記宇宙船作業用デバイスが、少なくとも１つの作業オペレーション中に、および前記結合機構を用いて前記ターゲット宇宙船に結合されているときに、前記ターゲット宇宙船のいかなる燃料保管装置も迂回しながら、前記少なくとも１つの推進燃料の少なくとも一部が前記推進燃料タンクから前記ターゲット宇宙船の前記推進デバイスまで供給されるように、前記推進燃料タンク内の前記少なくとも１つの推進燃料を前記宇宙船の前記燃料システムの前記部分に流体連通させるように構成される、宇宙船作業用デバイス。
【請求項２】
前記宇宙船作業用デバイスが、前記ターゲット宇宙船に燃料補給しないときに、前記推進燃料タンクから、前記ターゲット宇宙船の前記推進デバイスまで、少なくとも１つの推進燃料を供給するように構成される、請求項１に記載の宇宙船作業用デバイス。
【請求項３】
前記宇宙船作業用デバイスが、前記ターゲット宇宙船に結合されているときに、前記ターゲット宇宙船に燃料補給することなく、前記ターゲット宇宙船の軌道または速度のうちの少なくとも１つを変化させるために前記少なくとも１つの推進燃料を前記ターゲット宇宙船に供給するように構成される、請求項１に記載の宇宙船作業用デバイス。
【請求項４】
前記ホスト宇宙船の機構のみを使用して前記ターゲット宇宙船に隣接するロケーションのところに配置されるように構成される、請求項１に記載の宇宙船作業用デバイス。
【請求項５】
前記宇宙船作業用デバイスが、前記宇宙船作業用デバイスを独立して移動させるための推進デバイスを有さない、請求項４に記載の宇宙船作業用デバイス。
【請求項６】
前記宇宙船作業用デバイスを前記ターゲット宇宙船に結合するように、および前記推進燃料タンクを前記ターゲット宇宙船の前記推進デバイスの一部分に流体連通させるように、構成される結合機構をさらに備える、請求項１に記載の宇宙船作業用デバイス。
【請求項７】
前記宇宙船作業用デバイスが、前記ターゲット宇宙船に結合されているときに、前記ターゲット宇宙船の既存の推進燃料タンクを交換するように構成される、請求項１に記載の宇宙船作業用デバイス。
【請求項８】
前記宇宙船作業用デバイスが、前記推進燃料タンクから前記ターゲット宇宙船の前記推進デバイスの少なくとも１つのスラスタまで前記少なくとも１つの推進燃料を供給するように構成される、請求項１に記載の宇宙船作業用デバイス。
【請求項９】
前記宇宙船作業用デバイスが、前記ターゲット宇宙船に結合されているときに、燃料流れチャンネルに接続される前記ターゲット宇宙船のいかなる燃料保管装置の容積も迂回しながら、前記推進燃料タンクから、前記ターゲット宇宙船の燃料流れチャンネルを通して、前記ターゲット宇宙船の前記推進デバイスまで、前記少なくとも１つの推進燃料を供給するように構成される、請求項１に記載の宇宙船作業用デバイス。
【請求項１０】
宇宙船作業用デバイスを用いて推進燃料をターゲット宇宙船に供給する方法であって、
ホスト宇宙船を用いて前記宇宙船作業用デバイスを前記ターゲット宇宙船まで移送するステップと；
推進システムの流体チャンネルを介して、宇宙船作業用デバイスの推進燃料タンクから、前記ターゲット宇宙船の推進システムまで、推進燃料の少なくとも一部を供給するステップと；
前記推進燃料タンクから前記ターゲット宇宙船の前記推進システムまで前記推進燃料を供給するときに、前記推進システムの前記流体チャンネルに流体連通される前記推進システムのいかなる燃料保管装置の容積も迂回するステップと
を含む、
方法。
【請求項１１】
前記ターゲット宇宙船に燃料補給しないときに、前記推進燃料タンクから、前記ターゲット宇宙船の前記推進システムまで、前記推進燃料を提供するステップをさらに含む、請求項１０に記載の方法。
【請求項１２】
前記宇宙船作業用デバイスが前記ターゲット宇宙船に結合されているときに、前記ターゲット宇宙船に燃料補給することなく、前記ターゲット宇宙船の軌道または速度のうちの少なくとも１つを変化させるために前記ターゲット宇宙船に前記推進燃料を供給するステップをさらに含む、請求項１０に記載の方法。
【請求項１３】
前記ホスト宇宙船の機構のみを使用して、前記ターゲット宇宙船に隣接するロケーションのところに前記宇宙船作業用デバイスを配置するステップをさらに含む、請求項１０に記載の方法。
【請求項１４】
前記宇宙船作業用デバイスが前記宇宙船作業用デバイスを独立して移動させるための推進システムを有さない場合に、前記ターゲット宇宙船の前記推進システムのみを用いて前記推進燃料を使用するステップをさらに含む、請求項１３に記載の方法。
【請求項１５】
宇宙船作業用デバイスの前記推進燃料タンクを用いて前記ターゲット宇宙船の既存の推進燃料タンクを交換するステップをさらに含む、請求項１０に記載の方法。
【請求項１６】
宇宙船作業用デバイスであって、
ホスト宇宙船から、ターゲット宇宙船に隣接するロケーションのところに配備されるように構成されるボディであって、前記ホスト宇宙船が、複数の宇宙船作業用デバイスを収容する、ボディと；
前記ターゲット宇宙船に結合するための結合機構と；
前記ボディに結合される推進燃料タンクであって、少なくとも１つの推進燃料を保管するように、および前記ターゲット宇宙船の一部分に流体連通されるように、構成され、また、前記ターゲット宇宙船に結合されているときに前記ターゲット宇宙船での少なくとも１つの作業オペレーション中に、前記少なくとも１つの推進燃料の少なくとも一部を前記ターゲット宇宙船に供給するように構成される、推進燃料タンクとを備え、前記宇宙船作業用デバイスが、前記ターゲット宇宙船に結合されているときに、前記ターゲット宇宙船に燃料補給することなく、前記ターゲット宇宙船の軌道または速度のうちの少なくとも１つを変化させるために前記ターゲット宇宙船に前記少なくとも１つの推進燃料を供給するように構成される、宇宙船作業用デバイス。
【請求項１７】
前記宇宙船作業用デバイスが、前記推進燃料タンクから前記ターゲット宇宙船の推進デバイスの少なくとも１つのスラスタまで前記少なくとも１つの推進燃料を供給するように構成される、請求項１６に記載の宇宙船作業用デバイス。
【請求項１８】
前記宇宙船作業用デバイスが、前記推進燃料タンクを推進デバイスの推進燃料供給特徴に流体的に結合するように構成される、請求項１６に記載の宇宙船作業用デバイス。
【請求項１９】
前記宇宙船作業用デバイスが、前記ターゲット宇宙船の推進燃料保管特徴を迂回しながら、前記推進燃料タンクを前記推進デバイスの前記推進燃料供給特徴に流体的に結合するように構成される、請求項１８に記載の宇宙船作業用デバイス。
【請求項２０】
前記宇宙船作業用デバイスが、前記ターゲット宇宙船に結合されているときに、燃料流れチャンネルに接続される前記ターゲット宇宙船のいかなる燃料保管装置の容積も迂回しながら、前記推進燃料タンクから、前記ターゲット宇宙船の前記燃料流れチャンネルを通して、前記ターゲット宇宙船の前記推進デバイスまで、前記少なくとも１つの推進燃料を供給するように構成される、請求項１６に記載の宇宙船作業用デバイス。